(57)【要約】【課題】引き込み部材に一方向性回転ダンパーを一つだけ設置し、一つの一方向性回転ダンパーによって引き込み部材が受ける抵抗力を任意に調整可能な引戸の引き込み装置を提供する。【解決手段】上枠２に設けられた装置本体３と引戸４に設けられた操作部材５とを備え、装置本体３は、ガイド部材６とガイド部材６に案内されて引戸４の開閉方向に移動する引き込み部材８とを備える。引き込み部材８には、一方向性回転ダンパー１４と一方向性回転ダンパー１４の回転軸端に取り付けられたピッチ円直径が異なる２つのピニオンギア１３ａ，１３ｂとを備え、ガイド部材６にはピニオンギア１３ａ，１３ｂが噛み合うラック１０ａ，１０ｂが引戸４の閉方向に隣接して設けられる。引き込み部材８が引戸４の閉方向に移動すると異なるピニオンギア１３ａ，１３ｂが順番にラック１０ａ，１０ｂに噛み合う。【選択図】図１
2012225054.tif 000002
【特許請求の範囲】
【請求項１】
上枠に設けられた装置本体と引戸に設けられ装置本体を操作する操作部材とを備え、装置本体は、上枠に固定されたガイド部材と、操作部材に操作されてガイド部材の案内部に沿って引戸の開閉方向に移動するとともに、ガイド部材に形成されたラックと噛み合うピニオンギアが設けられ、ピニオンギアにはピニオンギアが引戸の閉方向に移動するときピニオンギアに制動力を与える一方向性回転ダンパーが連設され、引戸の閉方向に付勢される引き込み部材とを備える引戸の引き込み装置において、引き込み部材にはピッチ円直径が異なる複数個のピニオンギアが同一回転軸上に設けられ、ガイド部材には該ピニオンギアと噛み合う複数個のラックが引戸の閉方向に隣接して設けられ、引き込み部材が引戸の閉方向に移動するにしたがって異なるピニオンギアが順番にラックに噛み合って回転することを特徴とする引戸の引き込み装置。
【請求項２】
引き込み部材は、ぜんまいばねによって引戸の閉方向に付勢されることを特徴とする請求項１に記載の引戸の引き込み装置。
【発明の詳細な説明】
【技術分野】
【０００１】
本発明は、引戸を閉まり際において緩やかに閉める引戸の引き込み装置に関する。
【背景技術】
【０００２】
特許文献１に記載される引戸の引き込み装置は、枠体に設けられた装置本体と引戸に設けられ装置本体を操作する操作部材とを備える。装置本体には、枠体に固定されたガイドレール部と、ガイドレール部に案内されて往復移動する引き込み部材とが設けられる。引き込み部材は、コイルばねによって引戸の閉方向に付勢され、ガイドレール部に設けられたラックと噛み合う複数のピニオンギアを備えており、ピニオンギアには各々一方向性回転ダンパーが連結されている。
【０００３】
一方向性回転ダンパーが連結されたピニオンギアは、引戸が閉じられる方向に移動するときに一方向性回転ダンパーから抵抗力を受けて減速する。複数のピニオンギアのうちの一部のピニオンギアがラックから外れて直線部に移ると、該ピニオンギアは回転しないので一方向性回転ダンパーからの抵抗力を受けなくなる。引き込み部材が戸先側に移動するにしたがって一方向性回転ダンパーからの抵抗力を減少させて、コイルばねの付勢力を小さくしている。
【先行技術文献】
【特許文献】
【０００４】
【特許文献１】特開２００６−２００２９８号公報
【発明の概要】
【発明が解決しようとする課題】
【０００５】
特許文献１に記載の引き込み装置では、複数個のピニオンギアに各々一方向性回転ダンパーが連結されているので、部品点数が増加してコストが嵩み、コストダウンの要請に反するという問題がある。
本発明の目的は、引き込み部材に一方向性回転ダンパーを一つだけ設置し、一つの一方向性回転ダンパーによって引き込み部材が受ける抵抗力を任意に調整可能な引戸の引き込み装置を提供することである。
【課題を解決するための手段】
【０００６】
請求項１に記載の発明は、上枠に設けられた装置本体と引戸に設けられ装置本体を操作する操作部材とを備え、装置本体は、上枠に固定されたガイド部材と、操作部材に操作されてガイド部材の案内部に沿って引戸の開閉方向に移動するとともに、ガイド部材に形成されたラックと噛み合うピニオンギアが設けられ、ピニオンギアにはピニオンギアが引戸の閉方向に移動するときピニオンギアに制動力を与える一方向性回転ダンパーが連設され、引戸の閉方向に付勢される引き込み部材とを備える引戸の引き込み装置において、引き込み部材にはピッチ円直径が異なる複数個のピニオンギアが同一回転軸上に設けられ、ガイド部材には該ピニオンギアと噛み合う複数個のラックが引戸の閉方向に隣接して設けられ、引き込み部材が引戸の閉方向に移動するにしたがって異なるピニオンギアが順番にラックに噛み合って回転するものである。
【０００７】
請求項２に記載の発明は、引き込み部材が、ぜんまいばねによって引戸の閉方向に付勢されるものである。
【発明の効果】
【０００８】
請求項１の発明によれば、引き込み部材にはピッチ円直径が異なる複数個のピニオンギアが同一回転軸上に設けられ、ガイド部材には該ピニオンギアと噛み合う複数個のラックが引戸の閉方向に隣接して設けられ、引き込み部材が引戸の閉方向に移動するにしたがって異なるピニオンギアが順番にラックに噛み合って回転するので、引き込み部材に一方向性回転ダンパーを一つだけ設置し、一つの一方向性回転ダンパーによって引き込み部材が受ける抵抗力を任意に調整可能である。請求項２の発明によれば、引き込み部材はぜんまいばねによって付勢されるので、コイルばねなどを用いた場合に比べて引戸の引き込み装置をコンパクトにすることができる。
【図面の簡単な説明】
【０００９】
【図１】引戸の引き込み装置が設置された引戸の正面図である。
【図２】引戸の引き込み装置が設置された引戸の断面図である。
【図３】ガイド部材カバーを外した装置本体の斜視図である。
【図４】引戸が開いた状態の引戸の正面図である。
【図５】操作部材と係合部との係合状態を示す引戸の正面図である。
【図６】ラックとピニオンとの噛み合い状態を示す断面図である。
【図７】操作部材と係合部との係合状態を示す引戸の正面図である。
【図８】ラックとピニオンとの噛み合い状態を示す断面図である。
【発明を実施するための形態】
【００１０】
以下、本発明の第１の実施の形態について図１〜図８に基づいて説明する。
引戸の引き込み装置１は、上枠２に設けられる装置本体３と、引戸４に設けられ装置本体３を操作する操作部材５とを備える。装置本体３は、上枠２に固定されるガイド部材６と、操作部材５が係合したときガイド部材６に案内されて引戸４とともに移動する引き込み部材８とを備える。
【００１１】
ガイド部材６は、たとえば樹脂成型され、上枠２に固定されるガイド部材本体９と、ガイド部材本体９との間に引き込み部材８を挟みこんだ状態でガイド部材本体９に取り付けられるガイド部材カバー２０とを備える。ガイド部材本体９とガイド部材カバー２０とには、引き込み部材８の側面を案内する案内溝７ａと７ｂとが各々設けられる。案内溝７ａ，７ｂは、引戸４の開閉方向である水平方向に形成され、戸尻側の端部には戸尻方向に向かって斜めに高くなる傾斜部１１と傾斜部１１に連設されて垂直に立ち上がる立ち上がり部１２とが形成される。
【００１２】
ガイド部材本体９の案内溝７ａの上方には、戸尻側から戸先側に向かって順番にラック１０ａと１０ｂとが設置される。ラック１０ａ，１０ｂは、引き込み部材８のピニオンギア１３ａ，１３ｂと夫々噛み合う。
【００１３】
引き込み部材８は、一方向性回転ダンパー１４と一方向性回転ダンパー１４の回転軸２１に連設されるピニオンギア１３ａ，１３ｂとが設けられた制動部１５と、制動部１５の戸尻側に回動可能に支持され操作部材５が係合する係合部１６とを備える。制動部１５は、直方体の箱状に形成されたハウジング部１８を備えている。一方向性回転ダンパー１４は回転軸２１が垂直上方に向いた状態でハウジング部１８の内部にねじ止めされる。回転軸２１はハウジング部１８の上方に突出しており、ピニオンギア１３ａ，１３ｂが回転軸２１の軸端に固定される。ピニオンギア１３ｂのピッチ円直径は、ピニオンギア１３ａのピッチ円直径よりも大径に形成される。
【００１４】
ハウジング部１８の側面には、案内溝７ａ，７ｂに係合する係合凸部１９が移動方向に沿って各々２箇所ずつ設けられる。ハウジング部１８の戸尻側には、係合部１６を支持する支持部２２がハウジング部１８と一体的に形成されている。支持部２２は、制動部１５が移動する方向と直交する幅方向に細長に形成された円筒形である。係合部１６は、垂直方向に立ち上がった平板部２３を備える。平板部２３は下方に開口したコの字状である。平板部２３の前部には、支持部２２が嵌め込まれる円弧状の凹部２４が形成される。支持部２２が凹部２４に嵌め込まれて、係合部１６は、支持部２２の水平方向に向いた軸心を中心として回動可能に支持される。
【００１５】
平板部２３の後部には係合凸部２５が平板部２３と一体的に形成される。係合凸部２５は、平板部２３の両面から水平方向に突出した細長な円筒形である。引き込み部材８は、ハウジング部１８の係合凸部１９と支持部２２の端部と係合凸部２５の端部とがガイド部材６の案内溝７ａ，７ｂに係合して、案内溝７ａ，７ｂに沿って移動する。
【００１６】
平板部２３は、戸先側の脚部２６と戸尻側の脚部２７とを備える。ガイド部材６の下部であって、ガイド部材本体９とガイド部材カバー２０との接合部には、引戸４の開閉方向に沿って細長な溝部２９が形成されており、係合部１６は、脚部２６と脚部２７とが溝部２９に挿通された状態で移動可能である。制動部１５は、ガイド部材本体９の戸先側に設けられたぜんまいばね１７によって戸先側に付勢されている。
【００１７】
引戸４が開けられた状態では、図４に示すように係合部１６の係合凸部２５が案内溝７ａと７ｂの立ち上がり部１２に係合して、係合部１６は斜めに傾斜している。引戸４を戸先側に閉めていくと、操作部材５は、戸尻側の脚部２７に当たることなく戸先側の脚部２６に当接する。引戸４をさらに戸先側に移動すると、係合凸部２５が操作部材５に押されて案内溝７ａと７ｂの立ち上がり部１２から外れ、引き込み部材８は戸先側に移動する。
【００１８】
引き込み部材８が戸先側に移動すると、ラック１０ａと噛み合っているピニオンギア１３ａが回転する。引き込み部材８は、ピニオンギア１３ａの回転速度に応じた抵抗力を一方向性回転ダンパー１４から受けて減速される。引き込み部材８がさらに戸先側に移動すると、ピニオンギア１３ａとラック１０ａとの噛み合いが解除されて、ピニオンギア１３ａと同一回転軸２１上に設置されピニオンギア１３ａよりもピッチ円直径が大きいピニオンギア１３ｂがラック１０ｂと噛み合う。ピッチ円直径が大きいピニオンギア１３ｂの回転速度はピニオンギア１３ａの回転速度よりも低くなるので、引き込み部材８が一方向性回転ダンパー１４から受ける抵抗力は小さくなる。引き込み部材８がさらに戸先側に移動して、ピニオンギア１３ｂとラック１０ｂとの噛み合いが解除されると、引き込み部材８は一方向性回転ダンパー１４から抵抗力を受けなくなり、引戸４は一方向性回転ダンパー１４からの抵抗力を受けない状態で閉め切られる。
【００１９】
閉め切られた状態から引戸４が開けられると、引き込み部材８は、操作部材５が戸尻側の脚部２７に当接する。引き込み部材８をさらに戸尻側に移動すると、ピニオンギア１３ｂがラック１０ｂとが噛み合う。ピニオンギア１３ｂとラック１０ｂとの噛み合いが解除された後に、ピニオンギア１３ｂと同一回転軸２１上に設置されたピニオンギア１３ａがラック１０ａと噛み合う。このときピニオンギア１３ａ，１３ｂに連結された一方向性回転ダンパー１４は引戸４が閉められるときの回転方向とは逆方向に回転するので、引き込み部材８が一方向性回転ダンパー１４から抵抗力を受けることはない。係合部１６の戸尻側係合凸部２５は水平方向の案内溝７ａと７ｂから傾斜部１１へ移動し、さらに傾斜部１１から立ち上がり部１２に移動する。係合部１６は、図５の紙面に対して反時計回りに回転し、脚部２７に当接していた操作部材５は脚部２７から離れる。
【００２０】
引戸４の戸先側と戸尻側とには竪枠３０ａ，３０ｂが設けられており、竪枠３０ａ，３０ｂの上端が上枠２によって連結されている。引戸４の上端にはブラケット３１，３１が２箇所取り付けられており、上枠２はブラケット３１，３１に取り付けられた滑車３２，３２に支持される。なお、上枠２には、引戸４の開閉方向に沿ってレール部材３３が取り付けられており、滑車３２，３２はレール部材３３に回転自在に支持される。ブラケット３１，３１にはレール部材３３の下面に当接して滑車３２，３２がレールから脱落することを防止するガイド棒３４，３４が設けられている。操作部材５は、滑車３２，３２の間に設置されたブラケット３５を介して引戸４に固定される。なお、引戸４の下端には扉の開閉方向に沿った溝部２８が設けられており、引戸４は溝部２８が揺れ止めピン３６に係合した状態で移動する。
【００２１】
本実施の形態において、操作部材５は滑車３２，３２の間に設置したブラケット３５に固定されるが、これに限定されるものではない。たとえば、戸尻側のブラケット３１上端に取り付け面を設けて、操作部材５を取り付け面に設置することもできる。これによって部品点数の削減を図ることができる。
【００２２】
ここで、引戸４の引き込み装置の動作について説明する。図４は引戸４が開けられた状態の正面図である。引き込み部材８の係合部１６は、係合凸部２５が案内溝７ａと７ｂの立ち上がり部１２に係合して、斜めに傾斜した状態で係止される。引戸４を閉めていくと、図５に示すように操作部材５が戸先側の脚部２６に当接する。引戸４をさらに戸先側に移動すると、係合部１６は、脚部２６が操作部材５に押されて、案内溝７ａと７ｂの立ち上がり部１２および傾斜部１１から離れ、水平方向の案内溝７ａと７ｂに移動する。引き込み部材８は、操作部材５が係合部１６の脚部２６に当接した状態で戸先側に押し込まれる。
【００２３】
図６に示すように、引き込み部材８のピニオンギア１３ａがラック１０ａと噛み合っており、引き込み部材８は、ピニオンギア１３ａの回転速度に応じた抵抗力を一方向性回転ダンパー１４から受ける。ピニオンギア１３ａのピッチ円直径はピニオンギア１３ｂのピッチ円直径よりも小径に形成されており、ピニオンギア１３ａの回転速度はピニオンギア１３ｂがラック１０ｂと噛み合ったときの回転速度よりも高いので、引き込み部材８が受ける抵抗力は、ピニオンギア１３ｂがラック１０ｂと噛み合ったときに受ける抵抗力よりも大きくなる。引き込み部材８は、一方向性回転ダンパー１４から抵抗力を受けて移動速度が低くなる。
【００２４】
引戸４をさらに閉めていくと、ピニオンギア１３ａとラック１０ａとの噛み合いが解除され、図７および図８に示すようにピニオンギア１３ｂとラック１０ｂとが噛み合う。ピニオンギア１３ｂのピッチ円直径はピニオンギア１３ａのピッチ円直径よりも大径に形成されているで、ピニオンギア１３ｂの回転速度は、ピニオンギア１３ａがラック１０ａと噛み合ったときの回転速度よりも低くなる。引き込み部材８が受ける抵抗力は、ピニオンギア１３ａがラック１０ａと噛み合ったときに受ける抵抗力よりも小さくなるので、ピニオンギア１３ａがラック１０ａと噛み合っている場合に比して引き込み部材８の移動速度は高くなる。
【００２５】
引戸４の閉まり際では、ピニオンギア１３ｂとラック１０ｂとの噛み合いが解除されてピニオンギア１３ａ，１３ｂが回転しなくなるので、引き込み部材８は一方向性回転ダンパー１４から抵抗力を受けなくなり、さらに移動速度が高くなる。引戸４が閉め切られた状態を図１に示す。このように、引戸４を閉めていくにしたがって引き込み部材８が一方向性回転ダンパー１４から受ける抵抗力を小さくすると、たとえばパッキンが設けられる場合などに引戸４が受ける抵抗に打ち勝って引戸４を閉め切ることができる。
【００２６】
本実施の形態においては、ぜんまいばね１７を用いて引き込み部材８を戸先側に付勢しているので、コイルばねなどを用いた場合に比べて引き込み部材８が受ける付勢力の変化を小さくすることができる。ピッチ円直径が異なる２つのピニオンギア１３ａ，１３ｂを用いたが、これに限定されるものではなく、任意のピッチ円直径が異なる３つ以上のピニオンギアを用いることもできる。これによって引戸４を閉める場合に一方向性回転ダンパー１４から受ける抵抗力を所望の強さとして、より滑らかに引戸４を操作することができる。
【００２７】
また、ピニオンギア１３ｂのピッチ円直径をピニオンギア１３ａのピッチ円直径よりも小径に形成して、ピニオンギア１３ｂの回転速度をピニオンギア１３ａがラック１０ａと噛み合ったときの回転速度よりも高くすることもできる。この場合には、引戸４を閉めていくにしたがって引き込み部材８が一方向性回転ダンパー１４から受ける抵抗力が大きくなり、引戸４を静かに閉め切ることができる。
【００２８】
閉め切った状態から引戸４を開けて戸尻側に引くと、引き込み部材８は、操作部材５が戸尻側の脚部２７に当接した状態で戸尻側に移動するが、ピニオンギア１３ａ，１３ｂは、ラック１０ａ，１０ｂと噛み合っていないので回転することはなく、一方向性回転ダンパー１４から抵抗力を受けない。さらに引戸４を戸尻側に移動すると、ピニオンギア１３ｂがラック１０ｂと噛み合ってピニオンギア１３ｂが回転するが、ピニオンギア１３ｂの回転方向は、引戸４を閉めるときの回転方向とは逆方向となるので、引き込み部材８が一方向性回転ダンパー１４から抵抗力を受けることはない。さらに引戸４が戸尻側に移動すると、ピニオンギア１３ｂとラック１０ｂと噛み合いが解除され、ピニオンギア１３ａがラック１０ａと噛み合う。ピニオンギア１３ａはラック１０ａと噛み合って回転するが、ピニオンギア１３ａの回転方向は、引戸４を閉めるときの回転方向とは逆方向となるので、引き込み部材８が一方向性回転ダンパー１４から抵抗力を受けることはない。使用者は、ぜんまいばね１７の付勢力のみに抗して引戸４を戸尻側に引くことになる。
【００２９】
係合部１６の戸尻側係合凸部２５は水平方向の案内溝７ａと７ｂから傾斜部１１へ移動し、さらに傾斜部１１から立ち上がり部１２に移動する。図５に示すように引き込み部材８はこの状態で係止される。このとき係合部１６は図５の紙面に対して反時計回りに回転して戸尻側の脚部２７が斜めに傾く。操作部材５が戸尻側の脚部２７から離れ、操作部材５と係合部１６との係合が解除される。操作部材５と係合部１６との係合が解除された引戸４は、ぜんまいばね１７の付勢力を受けない状態で戸尻側に移動する。
【００３０】
このように、上枠２に設けられた装置本体３と引戸４に設けられ装置本体３を操作する操作部材５とを備え、装置本体３は、上枠２に固定されたガイド部材６と、操作部材５に操作されてガイド部材６の案内部である案内溝７ａ，７ｂに沿って引戸４の開閉方向に移動するとともに、ガイド部材６に形成されたラック１０ａ，１０ｂと噛み合うピニオンギア１３ａ，１３ｂが設けられ、ピニオンギア１３ａ，１３ｂにはピニオンギア１３ａ，１３ｂが引戸４の閉方向に移動するときピニオンギア１３ａ，１３ｂに制動力である抵抗力を与える一方向性回転ダンパー１４が連設され、引戸４の閉方向に付勢される引き込み部材８とを備える引戸４の引き込み装置１において、引き込み部材８にはピッチ円直径が異なる複数個のピニオンギア１３ａ，１３ｂが同一回転軸２１上に設けられ、ガイド部材６には該ピニオンギア１３ａ，１３ｂと噛み合う複数個のラック１０ａ，１０ｂが引戸４の閉方向に隣接して設けられ、引き込み部材８が引戸４の閉方向に移動するにしたがって異なるピニオンギア１３ａ，１３ｂが順番にラック１０ａ，１０ｂに噛み合って回転するので、引き込み部材に一方向性回転ダンパーを一つだけ設置し、一つの一方向性回転ダンパーによって引き込み部材が受ける抵抗力を任意に調整することができる。
【００３１】
さらに、引き込み部材８は、ぜんまいばね１７によって引戸４の閉方向に付勢されるので、コイルばねなどを用いた場合に比べて引戸４の引き込み装置をコンパクトにすることができる。
【符号の説明】
【００３２】
１    引戸の引き込み装置  
２    上枠
３    装置本体
４    引戸
５    操作部材
６    ガイド部材
７ａ，７ｂ    案内溝
８    引き込み部材
９    ガイド部材本体
１０ａ，１０ｂ    ラック
１１    傾斜部
１２    立ち上がり部
１３ａ，１３ｂ    ピニオンギア
１４    一方向性回転ダンパー
１５    制動部
１６    係合部
１７    ぜんまいばね
１８    ハウジング部
１９，２５    係合凸部
２０    ガイド部材カバー
２１    回転軸
２２    支持部
２３    平板部
２４    凹部
２６，２７    脚部    
２８，２９    溝部
３０ａ，３０ｂ    竪枠
３１，３５    ブラケット
３２    滑車
３３    レール部材
３４    ガイド棒
３６    揺れ止めピン
【図１】
2012225054.tif 000003
【図２】
2012225054.tif 000004
【図３】
2012225054.tif 000005
【図４】
2012225054.tif 000006
【図５】
2012225054.tif 000007
【図６】
2012225054.tif 000008
【図７】
2012225054.tif 000009
【図８】
2012225054.tif 000010